【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
搬送胴により一端側を保持され搬送されるシート状物に対してこの搬送胴と対向する転写胴によりシート状物の一方の面に液体を転写するとともに前記搬送胴によりシート状物の他方の面に液体を転写するシート状物の液体転写方法であって、
シート状物の前記一方の面に施された転写部のシート状物搬送方向下流側端縁を、シート状物の前記他方の面に施された転写部のシート状物搬送方向下流側端縁よりもシート状物搬送方向上流側に位置付けたことを特徴とするシート状物の液体転写方法。
【請求項２】
搬送胴により一端側を保持され搬送されるシート状物に対してこの搬送胴と対向する転写胴によりシート状物の一方の面にコーティングを行うとともに前記搬送胴によりシート状物の他方の面にコーティングを行うシート状物の液体転写方法であって、
シート状物の前記一方の面に施された全面コーティング部のシート状物搬送方向下流側端縁を、シート状物の前記他方の面に施された全面コーティング部のシート状物搬送方向下流側端縁よりもシート状物搬送方向上流側に位置付けたことを特徴とするシート状物の液体転写方法。
【請求項３】
シート状物の前記一方の面に施された全面コーティング部のシート状物搬送方向上流側端縁を、シート状物の前記他方の面に施された全面コーティング部のシート状物搬送方向上流側端縁よりもシート状物搬送方向下流側に位置付けたことを特徴とする請求項２記載のシート状物の液体転写方法。
【請求項４】
シート状物の前記一方の面に施された全面コーティング部の幅方向端縁を、シート状物の前記他方の面に施された全面コーティング部の幅方向端縁よりも内側に位置付けたことを特徴とする請求項２記載のシート状物の液体転写方法。
【請求項５】
シート状物の一端側を保持して搬送する搬送胴と、
この搬送胴に対向し、シート状物の一方の面に液体を転写する第１転写胴とを備え、
前記搬送胴によりシート状物の他方の面に液体を転写するシート状物の液体転写装置において、
シート状物の前記一方の面に施された転写部のシート状物搬送方向下流側端縁を、シート状物の前記他方の面に施された転写部のシート状物搬送方向下流側よりもシート状物搬送方向上流側に位置付けるように液体を転写することを特徴とするシート状物の液体転写装置。
【請求項６】
シート状物の一端側を保持して搬送する搬送胴と、
この搬送胴に対向し、シート状物の一方の面にコーティングを行う第１転写胴とを備え、
前記搬送胴によりシート状物の他方の面に液体を転写するシート状物の液体転写装置において、
シート状物の前記一方の面に施された全面コーティング部のシート状物搬送方向下流側端縁を、シート状物の前記他方の面に施された全面コーティング部のシート状物搬送方向下流側よりもシート状物搬送方向上流側に位置付けるように液体を転写することを特徴とするシート状物の液体転写装置。
【請求項７】
シート状物の前記一方の面に施された全面コーティング部のシート状物搬送方向上流側端縁を、シート状物の前記他方の面に施された全面コーティング部のシート状物搬送方向上流側端縁よりもシート状物搬送方向下流側に位置付けるように液体を転写することを特徴とする請求項６記載のシート状物の液体転写装置。
【請求項８】
シート状物の前記一方の面に施された全面コーティング部の幅方向端縁を、シート状物の前記他方の面に施された全面コーティング部の幅方向端縁よりも内側に位置付けるように液体を転写することを特徴とする請求項６記載のシート状物の液体転写装置。
【請求項９】
前記第１転写胴に接触して第１転写胴へニスを供給するニス供給胴を備え、
このニス供給胴の位相を前記第１転写胴の位相よりも遅らせたことを特徴とする請求項６記載のシート状物の液体転写装置。
【請求項１０】
前記第１転写胴に対する前記ニス供給胴の位相を調整する第１位相調整手段と、
前記搬送胴に接触して搬送胴へニスを転写する第２転写胴と、
前記搬送胴に対する前記第２転写胴の位相を調整する第２位相調整手段とを備え、
前記第１位相調整手段により調整されるくわえ側最小余白を、前記第２位相調整手段により調整されるくわえ側最大余白よりも大きくしたことを特徴とする請求項９記載のシート状物の液体転写装置。
【請求項１１】
前記第１転写胴に接触して第１転写胴へニスを供給するニス供給胴と、前記搬送胴に接触して搬送胴へニスを転写する第２転写胴とを備え、
前記ニス供給胴は、その周面に装着されるニス供給胴側ブランケットとこのニス供給胴側ブランケットと前記ニス供給胴の周面との間に挟み込まれるニス供給胴側シート材とを備え、
前記第２転写胴は、その周面に装着される第２転写胴側ブランケットとこの第２転写胴側ブランケットと前記第２転写胴の周面との間に挟み込まれる第２転写胴側シート材とを備え、
前記ニス供給胴側シート材の天地方向長さを、前記第２転写胴側シート材の天地方向長さよりも短くしたことを特徴とする請求項６記載のシート状物の液体転写装置。
【請求項１２】
前記第１転写胴に接触して第１転写胴へニスを供給するニス供給胴と、前記搬送胴に接触して搬送胴へニスを転写する第２転写胴とを備え、
前記ニス供給胴は、その周面に装着されるニス供給胴側ブランケットとこのニス供給胴側ブランケットと前記ニス供給胴の周面との間に挟み込まれるニス供給胴側シート材とを備え、
前記第２転写胴は、その周面に装着される第２転写胴側ブランケットとこの第２転写胴側ブランケットと前記第２転写胴の周面との間に挟み込まれる第２転写胴側シート材とを備え、
前記ニス供給胴側シート材の幅方向長さを、前記第２転写胴側シート材の幅方向長さよりも短くしたことを特徴とする請求項８記載のシート状物の液体転写装置。
【手続補正２】
【補正対象書類名】明細書
【補正対象項目名】００１５
【補正方法】変更
【補正の内容】
【００１５】
請求項１１に係る発明は、請求項６に係る発明において、前記第１転写胴に接触して第１転写胴へニスを供給するニス供給胴と、前記搬送胴に接触して搬送胴へニスを転写する第２転写胴とを備え、前記ニス供給胴は、その周面に装着されるニス供給胴側ブランケットとこのニス供給胴側ブランケットと前記ニス供給胴の周面との間に挟み込まれるニス供給胴側シート材とを備え、前記第２転写胴は、その周面に装着される第２転写胴側ブランケットとこの第２転写胴側ブランケットと前記第２転写胴の周面との間に挟み込まれる第２転写胴側シート材とを備え、前記ニス供給胴側シート材の天地方向長さを、前記第２転写胴側シート材の天地方向長さよりも短くしたものである。
【手続補正３】
【補正対象書類名】明細書
【補正対象項目名】００１６
【補正方法】変更
【補正の内容】
【００１６】
請求項１２に係る発明は、請求項８に係る発明において、前記第１転写胴に接触して第１転写胴へニスを供給するニス供給胴と、前記搬送胴に接触して搬送胴へニスを転写する第２転写胴とを備え、前記ニス供給胴は、その周面に装着されるニス供給胴側ブランケットとこのニス供給胴側ブランケットと前記ニス供給胴の周面との間に挟み込まれるニス供給胴側シート材とを備え、前記第２転写胴は、その周面に装着される第２転写胴側ブランケットとこの第２転写胴側ブランケットと前記第２転写胴の周面との間に挟み込まれる第２転写胴側シート材とを備え、前記ニス供給胴側シート材の幅方向長さを、前記第２転写胴側シート材の幅方向長さよりも短くしたものである。